(57)【要約】【課題】スプリングマットレスにおいて、表裏面の使い分けが可能であり、床ずれの発生の回避、夏の暑く苦しい状態の回避、冬の寒い状態の回避と寝心地の向上をはかることである。【解決手段】スプリングユニットの上下面に重合された保護層とで第１のクッション体を構成し、第１のクッション体の上下面には箱状弾性体が添設され、第１の箱状弾性体の内部には全通気性の無膜フォームが第２のクッション体として設けられ、第２の箱状弾性体の内部には低反発弾性材が第３のクッション体として設けられ、第３のクッション体には発熱体が重合されており、上記第１、第２、第３のクッション体及び発熱体を外装体６で被覆しており、外装体は、三層立体布地と吸汗綿と無膜フォームとを一体にキルティング縫合した第１の鏡部と、表地と羊毛綿と裏地とを一体にキルティング縫合した第２の鏡部と、この第１、第２の鏡部とマチ部の端部をエッジテープで縫合している。【選択図】図１
2005110871.tif 000002
【特許請求の範囲】
【請求項１】
多数のコイルスプリングを行列状に配置し、隣接するコイルスプリングの上下端面をヘリカルスプリングで連結し、さらに上下面の周縁部には枠線を設けたスプリングユニット１１を形成し、該スプリングユニットの上下面に重合された半硬質の保護層とで第１のクッション体１を構成し、
第１のクッション体１の上下面には底部材を有する第１、第２の箱状弾性体２が添設され、第１の箱状弾性体の内部には第２のクッション体３として全通気性の無膜フォームが設けられ、第２の箱状弾性体の内部には第３のクッション体４として低反発弾性材が設けられており、
第３のクッション体に重合して発熱体５が設けられ、上記第１のクッション体と、第１、第２の箱状弾性体と、第２、第３のクッション体及びは発熱体５を外装体６で被覆しており、
外装体６は、三層立体布地と吸汗綿と無膜フォームとを重合して一体にキルティング縫合した第１の鏡部６１と、表地と羊毛綿と裏地とを重合して一体にキルティング縫合した第２の鏡部６２でなり、第１の鏡部６１は第２のクッション体３側にあり、第２の鏡部６２は第３のクッション体４側にあり、この第１、第２の鏡部とマチ部の端部をエッジテープで縫合したことを特徴とするマットレス装置。
【発明の詳細な説明】
【技術分野】
【０００１】
本発明は、マットレス装置の表裏面の構造、性能を異にして、利用者の状況により表裏面の使い分けができるもので、例えば暑く苦しい夏の季節と寒い冬の季節で表裏面を使い分けできるようにするものであり、また、衝撃に対して吸収性能が良く、体圧分散にすぐれて利用者の体重、体型に対応して支持するようにすることにより利用者の好みに応じた寝心地を提供するスプリングマットレスに関するものである。
【背景技術】
【０００２】
一般にマットレス装置は、スプリングユニットを有し、このスプリングユニットの上下面にサイザルパッドや硬綿からなる保護層とウレタンフォームや綿などの利用者の感触を良好にし,保温の役目のある弾性層を重合し、この重合体を外装体で被覆して構成されている。
【０００３】
しかし、一般にスプリングマットレスは表裏面が同じ構造であるので、夏冬の季節に対応して使い分けができるものではなく、利用者は、夏は通気性の良い涼しげなゴザやパッドをマットレス表面に敷設し、冬には暖かくするために電気毛布などを用いることがある。又、利用者の重たい部分，例えば臀部がスプリングユニットを変形させて沈むために、その部分で反発力が発生することになることであり、寝たきりの利用者には臀部や突出した部位には床ずれが発生しやすくなるものである。
【０００４】
上記の床ずれの改善策としては、上記弾性層に荷重に対し反発力は発生しにくい低反発ウレタンフォーム、発泡ゴムなどの反発力の小さい発泡弾性材を用いることが検討されている。この低反発の発泡弾性材は利用者の体重が加わると、身体の凹凸に応じて緩やかに沈んで身体を支持するために利用者の重たい部分に反発力が集中しがたく体圧を分散させる効果がある。その結果、寝たきりの人には床ずれが発生しにくい利点がある。
【０００５】
また、低反発の発泡弾性材料,例えば低反発ウレタンフォームは、綿やサイザルに比較すると保温性が良い利点がある。
【０００６】
ところで、一般的なマットレスを通気性を良好にするものとして、マットレスの鏡面に三層立体布地を外装体として採用するものが知られている。この三層立体布地は上面メッシュと下面メッシュとを連結糸で内部空間を有するように形成されたものである。
【特許文献１】実用新案登録第２５４１１４８号公報
【発明の開示】
【発明が解決しようとする課題】
【０００７】
解決しようとする問題点は、マットレス装置の表裏面の構造性能を異にすることにより、利用者の状況、好み又は夏冬の季節により使い分けが可能であり、一方面側が通気性がよく涼しい感触を与えるものであり、他方面側が衝撃に対して吸収性能が良く、体圧分散にすぐれており、反発力が高いスプリングマットレスの特性を回避することにより、体型、体重に順応した荷重の支持を行い、床ずれの発生の回避と利用者の好みに対応しうる寝心地の提供にある。
【課題を解決するための手段】
【０００８】
本発明は、外装体の一面の鏡部に三層立体布地を使用し、この三層立体布地と対応して無膜フォームでなる第２のクッション体を組み合わせたことが第１の特徴であり、他面の鏡部に羊毛綿を使用し、この羊毛綿に対応して発熱体と低反発弾性材でなる第３のクッション体を組み合わせたことを第２の特徴とする。
【発明の効果】
【０００９】
本発明のマットレス装置は、外装体の一方面の鏡部には立体メッシュ編物でなる三層立体布地を使用すると共に、三層立体布地に対応して無膜フォークをクッション体に採用したから通気性を良好にして夏には涼しく、外装体の他方面には羊毛綿を使用し、この羊毛綿に対応して電熱体を沿わせ、低反発弾性材をクッション体として使用したから、体圧分散性能を向上して利用者の体型に沿って荷重を支持するようにすると共に、且つ冬場の寒さに対応して暖かい面も併せもつマットレス装置を提案できる利点がある。
【発明を実施するための最良の形態】
【００１０】
床ずれの発生予防と利用者の好みに対応できる表裏面の性能を異にしたマットレス装置を、三層立体布地と無膜フォームのクッション体の組み合わせ、低反発弾性材、発熱体と羊毛綿の組み合わせにより実現した。
【００１１】
以下図面を参照しながらこの発明の一実施の形態を説明する。図１は、本発明によるマットレス装置の斜視図で一部を切り欠いて内部構造を示している。このマットレス装置はスプリングユニット１１と保護層１２でなる第１のクッション体１と、第１のクッション体の面上に設けた第１、第２の箱状弾性体２と、第１の箱状弾性体２ａに収容されて設けた無膜フォームでなる第２のクッション体３と、第２の箱状弾性体２ｂに収容された低反発の発泡ウレタンフォームでなる第３のクッション体４と、第３のクッション体４に重合された発熱体５と、三層立体布地６１１と吸汗綿６１２と無膜フォーム６１４を重合して一体にキルティング縫合した第１の鏡部６１を第２のクッション体２に沿って設けており、表地と羊毛綿と裏地を重合して一体にキルティング縫合した第２の鏡部６２を第３のクッション体と発熱体５に沿って設けており、上記第１、第２の鏡部に縫合されたマチ部６３でなる外装体６を有する。
【００１２】
スプリングユニット１１は、図２、図３に示すように、多数のコイルスプリング１１１を行列状に配置した連続スプリングで、隣り合うコイルスプリング１１１同士をそのスプリング一端を相互に絡み合わせて結合し、コイルスプリング１１１の上下端面部をそれぞれヘリカルスプリング１１２によって結合し、結合した多数のコイルスプリング１１１の集合体の上下面周縁部には周辺部を補強したり、形状を維持するために硬い線材に形成された枠線１１３を設けている。
【００１３】
スプリングユニット１１の上下面には硬綿,サイザル繊維の半硬質材料でなる保護層１２が重合されており、端部ではクリップで枠線１１３またはコイルスプリング１１１の端部に固定している。
【００１４】
外装体６は、第１の鏡部６１、第２の鏡部６２とマチ部６３の端部を稜角部で合掌させてエッジテープ６４で被覆し縫合して全体を箱状に縫製したものである。第１の鏡部６１は第２のクッション体３側に添設されており、三層立体布地６１１を外面側にして吸汗綿６１２と必要に応じて設ける裏地６１３と無膜ウレタンフォーム６１４を一体的にキルティング縫合している。
【００１５】
三層立体布地６１１は上面メッシュ地６１１ａと下面メッシュ地６１１ｂとを布地厚さ方向に平行な連結糸６１１ｃによって適当な間隔を隔てて一体になるように連結し、各メッシュ地間に空間６１１ｄを形成した三層立体構造をなしている。上面メッシュ地６１１ａは菱形のループ状網目列に形成され、下面メッシュ地６１１ｂはすのこ状に形成されたものが用いられる。この三層立体布地６１１は吸湿性の良いコットン材料が使用されている。
【００１６】
第２の鏡部６２は、低反発弾性材でなる第３のクッション体と発熱体５に添設されており、羊毛綿６２２を詰め物として表地６２１と裏地６２３を一体的にキルティング縫合している。
【００１７】
上部保護層１２と下部保護層１２の面にはウレタンシートなどの底部材２２が接着固定され、この底部材２２の面上にはウレタンフォームなどの材料によって形成された枠状弾性材２１が端面を上記底部材２２の周辺部に接着固定して箱状弾性体２が設けられる。第２と第３のクッション体は枠状弾性材２１の内面で動きを規制されている。
【００１８】
上記第１の枠状弾性材の内部には第２のクッション体３が出し入れ自在に収容されており、このクッション体３は無膜フォームであって、第１の鏡部６１に使用した無膜フォームよりも厚い寸法ものが使用されてクッション性を向上している。無膜フォームとは全通気性フォームであって気泡と気泡の間の膜を取り除き通気性を高くしたもので、ポリウレタンフォームの気泡から薄い膜部分を除去し、骨格部分だけを残して通気性、通水性特性を向上させたフォームである。上記の無膜フォームと低反発弾性材は水洗い可能であるので汚れた場合にはマチ部６３に設けたファスナー６５を開いて出し入れして洗濯することができる。
【００１９】
第２の枠状弾性材の内部には第３のクッション体としての低反発弾性材が設けられている。低反発弾性材は低反発ウレタンフォームなどで反発弾性が非常に小さく、しかも衝撃に対して優れた吸収性能を有する。
【００２０】
第３のクッション体の下面に沿って羊毛綿、低反発弾性材を所定温度に加熱する発熱体５が設けられている。発熱体５は耐熱性不織布などからなる耐熱性シートでなり２枚の耐熱性シートの間に蛇行状に屈曲された加熱手段としての一線式のヒータが第３のクッション体のほぼ全面にわたって設けられている。
【００２１】
上述したように、この発明は通気性の良い三層立体布地６１１と吸汗作用のある綿６１２とを含む鏡部６１と、同じく通気性の良い無膜フォームの第２のクッション体を同じ面に形成したので、きわめて通気性の良いマットレス一方面を提供できた。さらに羊毛綿６２２を含む鏡地６２と発熱体５と低反発弾性材の第３のクッション体４を同じ面に形成したので、保温性のよく、また利用者の体型に沿って荷を支持するマットレス他方面を提供できた。
【００２２】
この実施例では低反発の発泡弾性材として低反発ウレタンフォームを使用しているが、低反発のゴム発泡体であってもよい。
【図面の簡単な説明】
【００２３】
【図１】本発明に係るマットレスの一部を切り欠いて示す斜視図である。
【図２】本発明に係るマットレスの一部の断面図である。
【図３】本発明に係るマットレスの断面図である。
【図４】三層立体布地の一部の斜視図である。
【符号の説明】
【００２４】
１…        第１のクッション体
１１…      スプリングユニット
１１１…    コイルスプリング
１１２…    ヘリカルスプリング
１１３…    枠線
１２…      保護層
２…        箱状弾性体
２１…      枠状弾性材
２２…      底部材
３…        第２のクッション体
４…        第３のクッション体
５…        発熱体
６…        外装体
６１…      第１の鏡部
６１１…    三層立体布地
６１１ａ…  上面メッシュ地
６１１ｂ…  下面メッシュ地
６１１ｃ…  連結糸
６１１ｄ…  空間
６１２…    吸汗綿
６１３…    裏地
６１４…    無膜フォーム
６２…      第２の鏡部
６２１…    表地
６２２…    羊毛綿
６２３…    裏地
６３…      マチ部
６４…      エッジテープ
６５…      ファスナー
【図１】
2005110871.tif 000003
【図２】
2005110871.tif 000004
【図３】
2005110871.tif 000005
【図４】
2005110871.tif 000006